(57)【特許請求の範囲】
【請求項１】
略四角形の開口部を具備する容器に対して、４つの角部が前記開口部の４つの辺に対して前記略四角形の外側に配置され、かつ互いに対向する２辺に沿う領域のそれぞれの一部が前記開口部に対向するように前記開口部上に重ね合わされることで前記開口部を覆う略四角形の包装用フィルムであって、
前記開口部上に重ね合わされた場合に前記開口部を全て覆うような大きさを具備し、前記２辺に沿う領域のうち、前記開口部上に重ね合わされた場合に前記開口部に対向しない領域に貼着手段が設けられている包装用フィルム。
【請求項２】
請求項１に記載の包装用フィルムにおいて、
前記貼着手段は、前記２辺に沿う領域のそれぞれについて当該辺が延びる方向の長さが互いに異なる２つの貼着部からなり、前記２辺に沿う領域に設けられた４つの貼着部は、前記包装用フィルムの中心部を対称の中心として点対称の形状となっている包装用フィルム。
【請求項３】
請求項１または請求項２に記載の包装用フィルムが連続してなり、ロール状に巻き取られた包装用フィルムシートであって、
前記貼着手段は、前記包装用フィルムシートの連続方向の両側辺に沿う領域の一方の面に設けられ、
前記包装用フィルムシートの前記貼着手段が設けられた面とは反対側の面の連続方向の両側辺に沿う領域に剥離剤が塗工されている包装用フィルムシート。
【発明の詳細な説明】
【技術分野】
【０００１】
本発明は、容器に収容された物品がこぼれ落ちることを防止するために容器の開口部を覆う包装用フィルム及びこれが連続してなる包装用フィルムシートに関する。
【背景技術】
【０００２】
従来より、苺や葡萄等の食料品を透明なプラスチック容器に入れて販売することが行われている。このようなプラスチック容器は、開口部を有しており、この開口部から食料品を収容した後、開口部を包装用フィルムでラッピングすることにより、食料品がプラスチック容器からこぼれ落ちないようにして販売される。
【０００３】
このような包装用フィルムは、例えば、包装用フィルムがミシン線を介して連続した連続状の包装用フィルムシートを用い、この包装用フィルムシートをミシン線によって１枚ずつの包装用フィルムに分離して使用される。この包装用フィルムシートにおいては、その連続方向両側辺に沿うように貼着部が設けられており、１枚ずつの包装用フィルムに分離された後、この貼着部によってプラスチック容器に貼着される（例えば、特許文献１参照。）。
【０００４】
図７は、従来の包装用フィルムでラッピングされたプラスチック容器を示す斜視図である。
【０００５】
従来の包装用フィルムは、上述したように、連続状となった包装用フィルムシートの連続方向両側辺に沿うように貼着部が設けられているため、図７に示すように、食料品１２が収容されたプラスチック容器１１の開口部を覆うようにかけられ、貼着部２０４によってその側部がプラスチック容器１１に貼着されて使用される。また、包装用フィルム２０３の貼着部２０４が設けられていない天地部分については、テープ２１０によってプラスチック容器１１に固定され、それにより、食料品１２がプラスチック容器１１からこぼれ落ちないような状態とされる。
【先行技術文献】
【特許文献】
【０００６】
【特許文献１】特開平９−５８７４３号公報
【発明の概要】
【発明が解決しようとする課題】
【０００７】
しかしながら、上述したように包装用フィルムの貼着部が設けられていない天地部分をプラスチック容器に固定するためにテープを用いる場合、プラスチック容器をラッピングするために包装用フィルムの他にテープを別途用意する必要があり、包装用フィルムをプラスチック容器に貼着した後、さらにテープによって包装用フィルムの天地部分をプラスチック容器に固定しなければならず、そのための手間がかかってしまい作業が煩雑になってしまうという問題点がある。
【０００８】
本発明は、上述したような従来の技術が有する問題点に鑑みてなされたものであって、略四角形の開口部を具備する容器に収容された物品がこぼれ落ちることを手間をかけずに確実に防止することができる包装用フィルム及びこれが連続してなる包装用フィルムシートを提供することを目的とする。
【課題を解決するための手段】
【０００９】
上記目的を達成するために本発明は、
略四角形の開口部を具備する容器に対して、４つの角部が前記開口部の４つの辺に対して前記略四角形の外側に配置され、かつ互いに対向する２辺に沿う領域のそれぞれの一部が前記開口部に対向するように前記開口部上に重ね合わされることで前記開口部を覆う略四角形の包装用フィルムであって、
前記開口部上に重ね合わされた場合に前記開口部を全て覆うような大きさを具備し、前記２辺に沿う領域のうち、前記開口部上に重ね合わされた場合に前記開口部に対向しない領域に貼着手段が設けられている。
【００１０】
上記のように構成された本発明においては、略四角形の開口部を具備する容器に対して、４つの角部が開口部の４つの辺に対して略四角形の外側に配置され、かつ互いに対向する２辺に沿う領域のそれぞれの一部が開口部に対向するように開口部上に重ね合わされると、４つの角部が開口部の４つの辺に対して開口部の略四角形の外側に配置されることから、互いに対向する２辺に沿う領域の一部が開口部からはみ出た状態となる。そして、このはみ出た領域は、開口部上に重ね合わされた場合に開口部に対向しない領域であることから貼着手段が設けられているので、この領域をそれぞれ折り曲げれば、貼着手段によって容器の縦横のそれぞれの方向について包装用フィルムが容器に貼着、固定されることになる。この際、包装用フィルムの互いに対向する２辺に沿う領域のそれぞれの一部が開口部に対向しているが、包装用フィルムを容器の縦横のそれぞれの方向について容器に貼着するための貼着手段が、開口部に対向しない領域に設けられているので、貼着手段が容器に収容された食品等の物品に付着することがない。
【００１１】
このように、包装用フィルムを容器の開口部上に重ね合わせた場合に、開口部からはみ出た領域を折り曲げるだけで、包装用フィルムの互いに対向する２辺に沿う領域に設けられた貼着手段によって、容器の縦横のそれぞれの方向について包装用フィルムが容器に貼着、固定されることになるので、略四角形の開口部を具備する容器に収容された物品がこぼれ落ちることを手間をかけずに確実に防止することができるようになる。
【００１２】
また、包装用フィルムと容器の開口部とをそれぞれ略長方形とした場合、貼着手段が、２辺に沿う領域のそれぞれについてその辺が延びる方向の長さが互いに異なる２つの貼着部からなり、その２辺に沿う領域に設けられた４つの貼着部を、包装用フィルムの中心部を対称の中心として点対称の形状とすることにより、開口部の角部上に包装用フィルムの辺を配置することができ、最低限の大きさで、容器に収容された物品がこぼれ落ちることを確実に防止することができる。
【００１３】
また、このような包装用フィルムは、連続してロール状に巻き取られた包装用フィルムシートとして供給されることが考えられ、その場合、貼着手段が、包装用フィルムシートの連続方向の両側辺に沿う領域の一方の面に設けられ、包装用フィルムシートの貼着手段が設けられた面とは反対側の面の連続方向の両側辺に沿う領域に剥離剤が塗工されている構成とすることが考えられる。
【発明の効果】
【００１４】
以上説明したように本発明においては、包装用フィルムを容器の開口部上に重ね合わせた場合に、開口部からはみ出た領域を折り曲げるだけで、包装用フィルムの互いに対向する２辺に沿う領域に設けられた貼着手段によって、容器の縦横のそれぞれの方向について包装用フィルムが容器に貼着、固定されることになるため、略四角形の開口部を具備する容器に収容された物品がこぼれ落ちることを手間をかけずに確実に防止することができる。
【００１５】
また、貼着手段が、２辺に沿う領域のそれぞれについてその辺が延びる方向の長さが互いに異なる２つの貼着部からなり、２辺に沿う領域に設けられた４つの貼着部が、包装用フィルムの中心部を対称の中心として点対称の形状となっているものにおいては、包装用フィルムと容器の開口部とをそれぞれ略長方形とした場合に、容器の角部上に包装用フィルムの辺を配置することができ、最低限の大きさで、容器に収容された物品がこぼれ落ちることを確実に防止することができる。
【図面の簡単な説明】
【００１６】
【図１】本発明の包装用フィルムの実施の一形態を示す図であり、（ａ）は包装用フィルムが連続してなる包装用フィルムシートの外観斜視図、（ｂ）は（ａ）に示した包装用フィルムシートの一部分の表面図、（ｃ）は（ｂ）に示したＡ−Ａ’断面図、（ｄ）は（ａ），（ｂ）に示したミシン線の詳細な構成を示す図である。
【図２】図１に示した包装用フィルムの構成を示す図である。
【図３】図１及び図２に示した包装用フィルムが用いられるプラスチック容器を示す外観斜視図である。
【図４】図３に示したプラスチック容器の開口部を図１及び図２に示した包装用フィルムで覆う場合の覆い方を説明するための図である。
【図５】図３に示したプラスチック容器に収容された食料品の取り出し方を説明するための図である。
【図６】本発明の包装用フィルムの他の実施の形態を示す図であり、（ａ）は表面図、（ｂ）は（ａ）に示したＡ−Ａ’断面図である。
【図７】従来の包装用フィルムでラッピングされたプラスチック容器を示す斜視図である。
【発明を実施するための形態】
【００１７】
以下に、本発明の実施の形態について図面を参照して説明する。
【００１８】
図１は、本発明の包装用フィルムの実施の一形態を示す図であり、（ａ）は包装用フィルムが連続してなる包装用フィルムシートの外観斜視図、（ｂ）は（ａ）に示した包装用フィルムシート１の一部分の表面図、（ｃ）は（ｂ）に示したＡ−Ａ’断面図、（ｄ）は（ａ），（ｂ）に示したミシン線５の詳細な構成を示す図である。
【００１９】
本形態における包装用フィルムは図１に示すように、透明なフィルム３ａをベースとし、複数枚が連続してロール状に巻き取られた包装用フィルムシート１として供給される。この包装用フィルムシート１は、包装用フィルム３が分離線となるミシン線５及びマイクロミシン６によって分離可能に連続状となって芯材２にロール状に巻き取られ、芯材２に巻き取られた状態から引き出されてミシン線５及びマイクロミシン６によって１枚ずつの包装用フィルム３に分離されるものである。また、包装用フィルムシート１の芯材２への巻き取り状態内側となる面には、包装用フィルムシート１の連続方向の両側辺に沿う領域に断続的に粘着剤１４が塗工され、それにより、包装用フィルムシート１の連続方向の両側辺に沿った領域に複数の貼着部４が設けられている。また、包装用フィルムシート１の芯材２への巻き取り状態外側となる面には、包装用フィルムシート１の連続方向の両側辺に沿って剥離剤７が塗工されている。なお、図１（ａ），（ｂ）においては、粘着剤１４の塗工領域を明確にするために剥離剤７の図示を省略している。このように、包装用フィルムシート１の芯材２への巻き取り状態外側となる面のうち包装用フィルムシート１の連続方向の両側辺に沿う領域に剥離剤７が塗工されていることにより、包装用フィルムシート１の芯材２への巻き取り状態内側となる面の包装用フィルムシート１の連続方向の両側辺に沿う領域に断続的に粘着剤１４が塗工されていても、包装用フィルムシート１を芯材２への巻き取り状態から引き出すことができる。また、包装用フィルムシート１の芯材２への巻き取り状態内側となる面には、ＰＥＴ等の切断が困難な材料から構成され、包装用フィルムシート１の連続方向に延びたティアテープ８が貼着されている。
【００２０】
ミシン線５及びマイクロミシン６はそれぞれ、カット部とタイ部とが交互に連続して構成され、包装用フィルムシート１の連続方向に直交する方向に延びて形成されており、貼着部４においてはマイクロミシン６が形成され、それ以外の領域においてはミシン線５が形成されている。
【００２１】
ミシン線５は、図１（ｄ）に示すように、カット部５ａが直線状の両端部にて丸みを帯びて構成されており、両端部の先端が包装用フィルムシート１の引き出し方向とは反対側に向いている。また、マイクロミシン６は、そのカット部が、ミシン線５及びマイクロミシン６と同方向に延びた直線状となっており、タイ部の幅が、ミシン線５のタイ部５ｂの幅よりも狭くなっている。なお、マイクロミシン６としては、一般的なものを用いることができ、カット部の形状を点状としてもよい。
【００２２】
図２は、図１に示した包装用フィルム３の構成を示す図である。
【００２３】
図１に示した包装用フィルムシート１をミシン線５及びマイクロミシン６で分離してなる包装用フィルム３は、図２に示すように、長方形の形状となっており、包装用フィルムシート１の貼着部４によって、互いに対向する２辺に沿う領域のそれぞれに、２つずつの貼着部４ａ−１，４ａ−２，４ｂ−１，４ｂ−２が設けられた構成となっている。この４つの貼着部４ａ−１，４ａ−２，４ｂ−１，４ｂ−２は、互いに対向する２辺が延びる方向の長さが、貼着部４ａ−１と貼着部４ｂ−１とが等しく、貼着部４ａ−２と貼着部４ｂ−２とが等しくなっており、貼着部４ａ−１，４ｂ−１と貼着部４ａ−２，４ｂ−２とは互いに異なるものとなっている。それにより、この４つの貼着部４ａ−１，４ａ−２，４ｂ−１，４ｂ−２は、互いに対向する２辺に沿う領域のそれぞれについて、その２辺が延びる方向の長さが互いに異なり、かつ、包装用フィルム３の中心部を対称の中心として点対称の形状となっている。
【００２４】
以下に、上記のように構成された包装用フィルム３の使用方法について説明する。
【００２５】
図３は、図１及び図２に示した包装用フィルム３が用いられるプラスチック容器を示す外観斜視図である。
【００２６】
図１及び図２に示した包装用フィルム３は、図３に示すようなプラスチック容器１１に用いられる。このプラスチック容器１１は、図３に示すように、長方形の角部に丸みを帯びた開口部１３を有し、この開口部１３の外側に一定の幅のつば部１５を有している。そして、開口部１３から食料品１２が収容されるものである。このままでは、収容された食料品１２が開口部１３からこぼれ落ちてしまうため、図１及び図２に示した包装用フィルム３で開口部１３を覆う必要がある。
【００２７】
図４は、図３に示したプラスチック容器１１の開口部１３を図１及び図２に示した包装用フィルム３で覆う場合の覆い方を説明するための図である。
【００２８】
図３に示したプラスチック容器１１の開口部１３を図１及び図２に示した包装用フィルム３で覆う場合は、まず、図４（ａ）に示すように、包装用フィルム３を開口部１３に対して斜めになるように重ね合わせる。すると、包装用フィルム３の４つの角部が、プラスチック容器１１の開口部１３の４つの辺に対して開口部１３の外側に配置されるようになる。ここで、包装用フィルム３の大きさは、このように包装用フィルム３を開口部１３に対して斜めになるように重ね合わせた場合に開口部１３を全て覆うようなものとなっている。また、包装用フィルム３には、互いに対向する２辺に沿う領域の一部に貼着部４ａ−１，４ａ−２，４ｂ−１，４ｂ−２が設けられており、また、この貼着部４ａ−１，４ａ−２，４ｂ−１，４ｂ−２が設けられた辺に沿う領域の一部が開口部１３に対向するようになるが、この貼着部４ａ−１，４ａ−２，４ｂ−１，４ｂ−２は、包装用フィルム３を開口部１３に対して斜めになるように重ね合わせた場合に開口部１３からはみ出ることにより開口部１３に対向しない領域に設けられている。
【００２９】
このようにしてプラスチック容器１１の開口部１３上に重ね合わされた包装用フィルム３について、図４（ｂ）に示すように開口部１３からはみ出た領域を折り曲げ、図４（ｃ）に示すように、貼着部４ａ−１，４ｂ−１によってプラスチック容器１１の横方向と、また、貼着部４ａ−２，４ｂ−２によってプラスチック容器１１の縦方向とそれぞれ貼着することにより、包装用フィルム３をプラスチック容器１１に固定する。
【００３０】
このようにプラスチック容器１１に固定された包装用フィルム３は、上述したように、プラスチック容器１１の横方向については貼着部４ａ−１，４ｂ−１によって貼着され、プラスチック容器１１の縦方向については貼着部４ａ−２，４ｂ−２によって貼着され、それにより、プラスチック容器１１の４方向のそれぞれにて貼着されているので、テープ等の貼着手段を別途用意することなく、プラスチック容器１１に収容された食料品１２がこぼれ落ちることを確実に防止することができる。また、包装用フィルム３に設けられた４つの貼着部４ａ−１，４ａ−２，４ｂ−１，４ｂ−２が、包装用フィルム３の互いに対向する２辺に沿う領域のそれぞれについて、その２辺が延びる方向の長さが互いに異なり、かつ、包装用フィルム３の中心部を対称の中心として点対称の形状となっていることにより、長方形の角部に丸みを帯びた開口部１３を長方形の包装用フィルム３で覆った場合に、包装用フィルム３の辺の長さを調節することで、開口部１３の角部上に包装用フィルム３の辺を配置することができ、最低限の大きさで、プラスチック容器１１に収容された食料品１２がこぼれ落ちることを確実に防止することができる。
【００３１】
図５は、図３に示したプラスチック容器１１に収容された食料品１２の取り出し方を説明するための図である。
【００３２】
図３に示したように食料品１２がプラスチック容器１１に収容され、図４に示したように包装用フィルム３でプラスチック容器１１の開口部１３が覆われた状態から、食料品１２を取り出す場合は、図５（ａ）に示すように、包装用フィルム３に設けられたティアテープ８を持ち上げることによって包装用フィルム３を破断していく。
【００３３】
そして、ティアテープ８によって包装用フィルム３を２つに破断した後、図５（ｂ）に示すように、包装用フィルム３を捲り上げ、プラスチック容器１１に収容された食料品１２を開口部１３から取り出すことになる。
【００３４】
なお、本形態においては、包装用フィルムシート１を包装用フィルム３毎に分離するための分離線として、ミシン目５とマイクロミシン６とを用いたが、包装用フィルムシート１を包装用フィルム３毎に分離するための分離線としては、これらに限らず、また、一種類の分離線のみであってもよい。
【００３５】
（他の実施の形態）
図６は、本発明の包装用フィルムの他の実施の形態を示す図であり、（ａ）は表面図、（ｂ）は（ａ）に示したＡ−Ａ’断面図である。
【００３６】
本形態における包装用フィルムは図６に示すように、図２に示したものに対して、連続状となって供給されるものではなく、単片状となっている点が異なるものである。そのため、粘着剤１４が塗工された領域上には剥離紙１７が剥離可能に貼着されている。
【００３７】
このように構成された包装用フィルム１０３においても、上述した実施の形態と同様に、図３に示したプラスチック容器１１に開口部１３を覆うように貼着されて使用されることになる。
【００３８】
なお、上述した実施の形態にて示したプラスチック容器１１の開口部１３は、長方形の角部に丸みを帯びた形状となっているが、開口部１３の形状はこれに限らず、長方形そのもの、あるいは、正方形等の四角形そのものやその四角形の角部に丸みを帯びたものであればよく、これらをまとめて略四角形と称する。また、包装用フィルム３，１０３においても、上述した実施の形態にて示したような長方形のものに限らず、プラスチック容器１１の開口部１３と同様に略四角形であればよい。
【符号の説明】
【００３９】
１    包装用フィルムシート
２    芯材
３，１０３    包装用フィルム
３ａ    フィルム
４，４ａ−１，４ａ−２，４ｂ−１，４ｂ−２    貼着部
５    ミシン目
５ａ    カット部
５ｂ    タイ部
６    マイクロミシン
７    剥離剤
８    ティアテープ
１１    プラスチック容器
１２    食料品
１３    開口部
１４    粘着剤
１５    つば部
１７    剥離紙
【図１】
0005690196.tif 000002
【図２】
0005690196.tif 000003
【図３】
0005690196.tif 000004
【図４】
0005690196.tif 000005
【図５】
0005690196.tif 000006
【図６】
0005690196.tif 000007
【図７】
0005690196.tif 000008